(57)【特許請求の範囲】
【請求項１】
被転写材にトナー画像を形成する画像形成装置本体と、前記画像形成装置本体に対して着脱可能であって、被転写材に形成されたトナー画像を被転写材に定着させる定着部と、を備える画像形成装置であって、
前記定着部は、
被転写材に形成されたトナー画像を加熱する加熱回転体の温度を検出するための温度検出素子と、
前記温度検出素子に対して電気的に並列に接続された第１抵抗と、
前記温度検出素子及び前記第１抵抗から構成される並列回路の両端に接続する第１コネクターと、を備え、
前記画像形成装置本体は、
前記定着部が前記画像形成装置本体に装着された場合に、前記第１コネクターと接続する第２コネクターと、
前記第１コネクター及び前記第２コネクターを介して、前記並列回路の一方の端部に電気的に接続された第２抵抗と、
前記第２抵抗における前記並列回路に接続する端部とは反対側の端部に電気的に接続された電源部と、
前記第１コネクター及び前記第２コネクターを介して、前記並列回路の他方の端部に電気的に接続された、接地電位となる基準電位部と、
前記並列回路と前記第２抵抗との間の電圧値を測定し、測定した電圧値に基づいて、前記第１コネクターと前記第２コネクターとが非接続であること、及び前記温度検出素子が異常であることを判定する制御部と、を備え、
前記制御部は、
前記測定した電圧値が前記電源部と同じ電圧値である場合には、前記第１コネクターと前記第２コネクターとが非接続であると判定し、
前記測定した電圧値が前記電源部の電圧値よりも低い第１の範囲内の電圧値である場合には、前記第１コネクターと前記第２コネクターとが接続されており、且つ、前記温度検出素子が故障しているために電気的に開放状態になっている又は前記温度検出素子が前記並列回路から外れていると判定し、
前記測定した電圧値が前記第１の範囲の電圧値よりも低い第２の範囲内の電圧値である場合には、前記第１コネクターと前記第２コネクターとが接続されており、且つ、前記温度検出素子が故障していないと判定し、
前記測定した電圧値が、前記電源部の電圧値とは異なり、前記第１の範囲内の電圧値でなく、且つ、前記第２の範囲内の電圧値でない場合には、前記第１コネクターと前記第２コネクターとが接続されており、且つ、前記温度検出素子が故障して電気的に短絡状態になっていると判定する、
画像形成装置。
【請求項２】
前記温度検出素子は、サーミスターである
請求項１に記載の画像形成装置。
【発明の詳細な説明】
【技術分野】
【０００１】
本発明は、用紙等の被転写材に形成されたトナー画像を定着させる定着部を備えた画像形成装置に関する。
【背景技術】
【０００２】
プリンターやコピー機等の画像形成装置には、複数の用紙が収容される給紙カセットと、感光体ドラム又は中間転写ベルトにトナー画像を形成する画像形成部と、給紙カセットから１枚ずつ搬送された用紙に対して画像形成部にて形成されたトナー画像を転写する転写部と、トナー画像を用紙に定着させる定着部とを備えるものがある。さらに、画像形成装置には、定着部の温度を検出する温度検出素子（サーミスター）と、そのサーミスターを備えるサーミスターユニットが定着部に装着されているか否かを検出する検出回路とを定着部に配置して、定着部にサーミスターユニットが装着されているか否かを判定するものがある（特許文献１参照）。
【先行技術文献】
【特許文献】
【０００３】
【特許文献１】特開平６−２５０５６３号公報
【発明の概要】
【発明が解決しようとする課題】
【０００４】
特許文献１に記載された装置においては、サーミスターユニットが定着部に装着されていない場合に検出回路によって検出される値は、基準電位（ＧＮＤ）レベルとなる。しかしながら、特許文献１に記載された装置においては、サーミスターが故障して短絡した場合には、検出回路によって検出される値もＧＮＤレベルになる。このため、特許文献１に記載された発明においては、サーミスターユニットが定着部に装着されていない場合と、サーミスターが故障して短絡した場合とを区別することができない。
【０００５】
本発明は、定着部が装着されていないこと、及び温度検出素子が故障していることのそれぞれを判定する画像形成装置を提供することを目的とする。
【課題を解決するための手段】
【０００６】
本発明は、被転写材にトナー画像を形成する画像形成装置本体と、前記画像形成装置本体に対して着脱可能であって、被転写材に形成されたトナー画像を被転写材に定着させる定着部と、を備える画像形成装置であって、前記定着部は、被転写材に形成されたトナー画像を加熱する加熱回転体の温度を検出するための温度検出素子と、前記温度検出素子に対して電気的に並列に接続された第１抵抗と、前記温度検出素子及び前記第１抵抗から構成される並列回路の両端に接続する第１コネクターと、を備え、前記画像形成装置本体は、前記定着部が前記画像形成装置本体に装着された場合に、前記第１コネクターと接続する第２コネクターと、前記第１コネクター及び前記第２コネクターを介して、前記並列回路の一方の端部に電気的に接続された第２抵抗と、前記第２抵抗における前記並列回路に接続する端部とは反対側の端部に電気的に接続された電源部と、前記第１コネクター及び前記第２コネクターを介して、前記並列回路の他方の端部に電気的に接続された基準電位部と、前記並列回路と前記第２抵抗との間の電圧値を測定し、測定した電圧値に基づいて、前記第１コネクターと前記第２コネクターとが非接続であること、及び前記温度検出素子が異常であることを判定する制御部と、を備える画像形成装置に関する。
【０００７】
また、前記温度検出素子は、サーミスターであることが好ましい。
【発明の効果】
【０００８】
本発明によれば、定着部画像形成装置本体に装着されていないこと、及び温度検出素子が故障等であることのそれぞれを判定する画像形成装置を提供することができる。
【図面の簡単な説明】
【０００９】
【図１】画像形成装置の一実施形態に係るコピー機の全体構成を説明するための図である。
【図２】コピー機の機能構成を示すブロック図である。
【図３】本発明の一実施形態を説明するための回路図である。
【図４】コピー機の動作の一例について説明するフローチャートである。
【発明を実施するための形態】
【００１０】
以下、図面を参照して、本発明の画像形成装置の一実施形態に係るコピー機について説明する。まず、コピー機１の全体構成について説明する。図１は、画像形成装置の一実施形態に係るコピー機１の全体構成を説明するための図である。
【００１１】
コピー機１は、被転写材としての用紙Ｔにトナー画像を形成するコピー機本体（画像形成装置本体）２を備える。具体的には、コピー機１は、原稿搬送部１０と、原稿読取部２０と、用紙搬送部３０と、画像形成部４０と、転写部５０と、定着部６０とをコピー機本体２に備える。
原稿搬送部１０は、ＡＤＦ（Ａｕｔｏｍａｔｉｃ  Ｄｏｃｕｍｅｎｔ  Ｆｅｅｄｅｒ）であり、原稿載置部１１と、第１送りローラー１２と、ガイド１３と、タイミングローラー対１４と、原稿排出部１５とを備える。第１送りローラー１２は、原稿載置部１１に載置された原稿Ｇを１枚ずつ順にタイミングローラー対１４に供給する。タイミングローラー対１４は、原稿読取部２０が原稿Ｇの画像を読み取るタイミングと、原稿Ｇの画像が原稿読取部２０によって読み取られる位置（ガイド１３が配置されている位置）に原稿Ｇを供給するタイミングとを合わせるために、原稿Ｇの搬送又は原稿Ｇの搬送停止を行う。ガイド１３は、搬送された原稿Ｇを後述する第１読取面２１ａに導く。原稿排出部１５は、原稿読取部２０によって画像が読み取られた（ガイド１３を通過した）原稿Ｇをコピー機本体２の外部に排出する。
原稿排出部１５におけるコピー機本体２の外側には、原稿集積部１６が形成される。原稿集積部１６には、原稿排出部１５から排出された原稿Ｇが積層して集積される。
【００１２】
原稿読取部２０は、第１読取面２１ａと、第２読取面２２ａとを備える。第１読取面２１ａは、ガイド１３に対向して配置された第１コンタクトガラス２１の上面に沿って形成され、原稿Ｇの画像を読み取る面となる。第２読取面２２ａは、第１読取面２１ａに隣接して（図１に示す場合では、第１読取面２１ａの右側の大部分に亘って）配置される。第２読取面２２ａは、原稿搬送部１０を用いずに原稿Ｇの画像を読み取る場合に用いられる。第２読取面２２ａは、原稿Ｇが載置される第２コンタクトガラス２２の上面に沿って形成され、原稿Ｇの画像を読み取る面となる。
【００１３】
また、原稿読取部２０は、照明部２３と、第１ミラー２４と、第２ミラー２５と、第３ミラー２６と、結像レンズ２７と、撮像部２８とをコピー機本体２の内部に備える。照明部２３と第１ミラー２４とは、それぞれ副走査方向Ｘに移動する。第２ミラー２５と第３ミラー２６とは、図１において照明部２３及び第１ミラー２４の左側に配置される。さらに、第２ミラー２５及び第３ミラー２６は、第１ミラー２４と、第２ミラー２５と、第３ミラー２６と、結像レンズ２７とを介した第１読取面２１ａ又は第２読取面２２ａから撮像部２８までの距離（光路長）を一定に保ちつつ、それぞれ副走査方向Ｘに移動する。
【００１４】
照明部２３は、原稿Ｇに光を照射する光源である。第１ミラー２４、第２ミラー２５及び第３ミラー２６は、光路長を一定に保ちつつ、原稿Ｇによって反射された光を結像レンズ２７に導くためのミラーである。結像レンズ２７は、第３ミラー２６から入射した光を撮像部２８に結像させる。撮像部２８は、入射された光を電気信号に変換することにより、結像された光像に基づいて画像データを得るための撮像素子であり、例えば、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等のイメージセンサーである。
【００１５】
用紙搬送部３０は、第２送りローラー３１と、第３送りローラー３２と、レジストローラー対３３と、用紙排出部３４とを備える。第２送りローラー３１は、給紙カセット３６に収容される用紙Ｔ（被転写材）を転写部５０に供給する。第３送りローラー３２は、手差しトレイ３７に載置される用紙Ｔ（被転写材）を転写部５０に供給する。レジストローラー対３３は、転写部５０にトナー画像が到達するタイミングと、転写部５０に用紙Ｔを供給するタイミングとを合わせるために、用紙Ｔの搬送又は用紙Ｔの搬送停止を行う。また、レジストローラー対３３は、用紙Ｔのスキュー（斜め給紙）補正を行う。用紙排出部３４は、トナー画像が定着された用紙Ｔをコピー機本体２の外部に排出する。
用紙排出部３４におけるコピー機本体２の外側には、排紙集積部３５が形成される。排紙集積部３５には、用紙排出部３４から排出された用紙Ｔが積層して集積される。
【００１６】
画像形成部４０は、トナー画像を形成するためのものであり、感光体ドラム４１と、帯電部４２と、レーザースキャナーユニット４３と、現像器４４と、クリーニング部４５と、トナーカートリッジ４６と、１次転写ローラー４７と、中間転写ベルト４８と、対向ローラー４９とを備える。
感光体ドラム４１（４１ａ，４１ｂ，４１ｃ，４１ｄ）は、ブラック、シアン、マゼンタ及びイエローそれぞれのトナー画像を形成するために、感光体又は像担持体として機能する。各感光体ドラム４１ａ，４１ｂ，４１ｃ，４１ｄの周囲には、感光体ドラム４１の回転方向に沿って上流側から下流側へ順に、帯電部４２と、レーザースキャナーユニット４３と、現像器４４と、クリーニング部４５とが配置される。帯電部４２は、感光体ドラム４１の表面を帯電させる。レーザースキャナーユニット４３は、感光体ドラム４１の表面から離れて配置され、原稿読取部２０によって読み取られた原稿Ｇに関する画像データに基づいて感光体ドラム４１の表面を走査露光する。これにより、感光体ドラム４１の表面には、露光された部分の電荷が除去されて静電潜像が形成される。現像器４４は、感光体ドラム４１の表面に形成された静電潜像にトナーを付着させてトナー画像を形成する。クリーニング部４５は、除電器（図示せず）によって感光体ドラム４１の表面が除電された後のその表面に残るトナー等を除去する。
トナーカートリッジ４６は、現像器４４に供給される各色のトナーを収容する。トナーカートリッジ４６と現像器４４とは、トナー供給路（図示せず）により接続されている。
【００１７】
１次転写ローラー４７（４７ａ，４７ｂ，４７ｃ，４７ｄ）は、中間転写ベルト４８における各感光体ドラム４１ａ，４１ｂ，４１ｃ，４１ｄとは反対側にそれぞれ配置される。中間転写ベルト４８は、画像形成部４０及び転写部５０を通過するベルトである。中間転写ベルト４８の一部分は、各感光体ドラム４１ａ，４１ｂ，４１ｃ，４１ｄと各１次転写ローラー４７ａ，４７ｂ，４７ｃ，４７ｄとの間に挟み込まれ、各感光体ドラム４１ａ，４１ｂ，４１ｃ，４１ｄの表面に形成されたトナー画像が１次転写される。対向ローラー４９は、環状形状の中間転写ベルト４８の内側に配置され、中間転写ベルト４８を図１に示す矢印Ａ方向に進行させるための駆動ローラーである。
【００１８】
転写部５０は、２次転写ローラー５１を備える。２次転写ローラー５１は、中間転写ベルト４８における対向ローラー４９とは反対側に配置され、中間転写ベルト４８の一部分を対向ローラー４９との間に挟みこむ。さらに、２次転写ローラー５１は、中間転写ベルト４８に１次転写されたトナー画像を用紙Ｔに２次転写させる。
【００１９】
定着部６０は、用紙Ｔに形成されたトナー画像をその用紙Ｔに定着させる。具体的には、定着部６０は、加熱回転体６１と、加圧回転体６２とを備える。加熱回転体６１と加圧回転体６２とは、トナー画像が２次転写された用紙Ｔを挟み込んで、トナーを溶融及び加圧し、そのトナーを用紙Ｔに定着させる。定着部６０は、コピー機本体２に対して着脱可能に構成される。
【００２０】
次に、コピー機１の機能構成について説明する。図２は、コピー機１の機能構成を示すブロック図である。
コピー機１は、上述した構成要素（原稿搬送部１０、原稿読取部２０、用紙搬送部３０、画像形成部４０、転写部５０及び定着部６０）を備える。用紙搬送部３０、画像形成部４０、転写部５０及び定着部６０によりエンジン部３が構成される。なお、図１を用いて説明した構成要素については、その説明を省略する。
さらに、コピー機１は、上述した機能構成に加えて、操作部７０と、記憶部８０と、制御部９０とを備える。
【００２１】
操作部７０は、テンキー（図示せず）、タッチパネル（図示せず）及びスタートキー（図示せず）等を備える。テンキーは、印刷部数等の数字を入力するために操作される。タッチパネルは、種々の機能（一例として、印刷倍率の設定機能や、複数のページを１枚の用紙Ｔに割り付ける機能（２ｉｎ１等））が割り当てられた複数のキー等を表示する。タッチパネルに表示されたキーは、種々の機能のうちのいずれかをコピー機１に実行させるために操作される。スタートキーは、印刷を実行させるために操作される。操作部７０は、いずれかのキーが操作されることにより、このキーが操作されたことを表す信号を制御部９０に供給する。
【００２２】
記憶部８０は、ハードディスクや半導体メモリー等から構成される。記憶部８０は、原稿読取部２０によって読み取られた原稿Ｇに基づく画像データを記憶する。また、記憶部８０は、コピー機１において利用される制御プログラム、及びこの制御プログラムによって利用されるデータ等を記憶する。
【００２３】
制御部９０は、原稿搬送部１０、原稿読取部２０、エンジン部３、操作部７０等を制御する。
【００２４】
次に、本発明の特徴部分について説明する。図３は、本発明の一実施形態を説明するための回路図である。
【００２５】
上述したように、定着部６０は、コピー機本体２に対して着脱可能に構成される。着脱を可能とするために、定着部６０は第１コネクター１０３を備え、コピー機本体２は第２コネクター１０４を備える。第２コネクター１０４は、定着部６０がコピー機本体２に装着された場合に、第１コネクター１０３と接続する。これにより、定着部６０側の回路と、コピー機本体２側の回路とは、第１コネクター１０３及び第２コネクター１０４を介して、電気的に接続される。また、定着部６０がコピー機本体２から脱離された場合には、第１コネクター１０３と第２コネクター１０４とは、非接続となる。
【００２６】
定着部６０は、温度検出素子としてのサーミスター１０１と、第１抵抗１０２と、を備える。
サーミスター１０１は、用紙Ｔに形成されたトナー画像を加熱する加熱回転体６１（図１参照）の温度を検出するためのものである。具体的には、サーミスター１０１は、加熱回転体６１の近傍に配置され、その加熱回転体６１の温度に応じて抵抗値が変化する。上述した制御部９０は、サーミスター１０１の抵抗値によって変化する電圧値に基づいて、加熱回転体６１の温度を検出する。
【００２７】
第１抵抗１０２は、サーミスター１０１に対して電気的に並列に接続される。第１抵抗１０２の抵抗値は、定着部６０がコピー機本体２に装着されていないこと、及びサーミスター１０１が故障等であることを検出することができるように予め実験等を行なうことにより、適宜設定される。
第１コネクター１０３は、サーミスター１０１及び第１抵抗１０２から構成される並列回路１００の両端に接続する。
【００２８】
また、コピー機本体２は、第２抵抗１０５と、電源部１０６と、基準電位部１０７と、上述した制御部９０と、を備える。
【００２９】
第２抵抗１０５は、サーミスター１０１及び第１抵抗１０２から構成される並列回路１００の一方の端部に電気的に接続される。すなわち、第２抵抗１０５は、第２コネクター１０４及び第１コネクター１０３を介して、並列回路１００における一方の端部に電気的に接続される。第２抵抗１０５の抵抗値は、定着部６０がコピー機本体２に装着されていないこと、及びサーミスター１０１が故障等であることを検出することができるように予め実験等を行なうことにより、適宜設定される。
【００３０】
電源部１０６は、第２抵抗１０５における並列回路１００に接続する端部とは反対側の端部に電気的に接続される。電源部１０６は、例えば、３．３Ｖの電圧を第２抵抗１０５に印加する。
基準電位部（ＧＮＤ）１０７は、第１コネクター１０３及び第２コネクター１０４を介して、並列回路１００の他方の端部に電気的に接続される。
【００３１】
制御部９０は、並列回路１００と第２抵抗１０５との間の電圧値を測定し、測定した電圧値に基づいて、第１コネクター１０３と第２コネクター１０４とが非接続であること（定着部６０がコピー機本体２から脱離していること）、及びサーミスター１０１が異常であることを判定する。
定着部６０がコピー機本体２に装着されていない場合には、制御部９０は、第２抵抗１０５における電圧値を検出する。例えば、制御部９０は、３．３Ｖの電圧値を検出する。
【００３２】
また、定着部６０がコピー機本体２に装着されており（第１コネクター１０３と第２コネクター１０４とが接続）、且つ、サーミスター１０１が故障しているために電気的に開放状態になっている又はサーミスター１０１が並列回路１００から外れている場合には、制御部９０は、第１抵抗１０２と第２抵抗１０５との分圧回路の出力電圧Ｖｏｕｔを検出する。ここで、出力電圧Ｖｏｕｔは、入力電圧をＶｉｎ、第１抵抗１０２の抵抗値をＲ１、第２抵抗１０５の抵抗値をＲ２とすると、数１により表される。
【数１】
0005683415.tif 000002
具体的な一例としては、電源部１０６が３．３Ｖである場合には、制御部９０は、約３．０Ｖ以上３．３Ｖ未満の電圧値を検出する。
【００３３】
また、定着部６０がコピー機本体２に装着されており（第１コネクター１０３と第２コネクター１０４とが接続）、且つ、サーミスター１０１が故障しているために電気的に短絡状態になっている場合には、制御部９０は、０Ｖを検出する。
【００３４】
さらに、定着部６０がコピー機本体２に装着されており（第１コネクター１０３と第２コネクター１０４とが接続）、且つ、サーミスター１０１が故障していない場合には、制御部９０は、第１抵抗１０２と、サーミスター１０１と、第２抵抗１０５との分圧回路の出力電圧Ｖｏｕｔを検出する。ここで、出力電圧Ｖｏｕｔは、サーミスター１０１の抵抗をＲ３とすると、数２により表される。
【数２】
0005683415.tif 000003
具体的な一例としては、電源部１０６が３．３Ｖである場合には、制御部９０は、約０．５Ｖ以上約３．０Ｖ未満の電圧値を検出する。
【００３５】
このように、定着部６０がコピー機本体２に装着されている場合（第１コネクター１０３と第２コネクター１０４とが接続している場合）、定着部６０がコピー機本体２に装着されていない場合（第１コネクター１０３と第２コネクター１０４とが非接続の場合）、及びサーミスター１０１が故障等である場合には、制御部９０によって測定される電圧値が異なるため、制御部９０は、測定された電圧値に基づいて、上記のいずれの場合であるかを判定する。
【００３６】
一例として、制御部９０は、検出された電圧値が３．３Ｖの場合には、定着部６０がコピー機本体２から脱離していると判定する。また、制御部９０は、検出された電圧値が約３．０Ｖ以上３．３Ｖ未満の場合には、定着部６０がコピー機本体２に装着されており、且つ、サーミスター１０１が故障しているために電気的に開放状態になっている又はサーミスター１０１が並列回路１００から外れている（サーミスター１０１に異常がある）と判定する。また、制御部９０は、検出された電圧値が約０．５Ｖ以上約３．０Ｖ未満の場合には、正常であると判定する。また、制御部９０は、検出された電圧値が０Ｖの場合には、定着部６０がコピー機本体２に装着されており、且つ、サーミスター１０１が故障しているために電気的に短絡状態になっている（サーミスター１０１に異常がある）と判定する。
【００３７】
次に、コピー機１の動作の一例について説明する。図４は、コピー機１の動作の一例について説明するフローチャートである。
ステップＳＴ１において、制御部９０は、並列回路１００と第２抵抗１０５との間の電圧値を測定する。
【００３８】
ステップＳＴ２において、制御部９０は、ステップＳＴ１にて測定した電圧値が所定の値であるか否かを判断する。ここで、所定の値は、電源部１０６の電圧値と同じ値であり、一例として３．３Ｖである。なお、所定の値は、電源部１０６の電圧値と同じ値を含む電圧値の範囲であってもよい。電圧値が所定の値である場合（Ｙｅｓ）には、処理は、ステップＳＴ３に進む。電圧値が所定の値ではない場合（Ｎｏ）には、処理は、ステップＳＴ４に進む。
【００３９】
ステップＳＴ３において、制御部９０は、定着部６０コピー機本体２に装着されていない（定着部６０がコピー機本体２から脱離している（第１コネクター１０３と第２コネクター１０４とが非接続である））と判定する。
【００４０】
ステップＳＴ２において「Ｎｏ」と判断された場合、ステップＳＴ４において、制御部９０は、ステップＳＴ１にて測定した電圧値が第１の範囲内であるか否かを判断する。第１の範囲は、定着部６０がコピー機本体２に装着されており（第１コネクター１０３と第２コネクター１０４とが接続）、且つ、サーミスター１０１が故障しているために電気的に開放状態になっている又はサーミスター１０１が並列回路１００から外れていることを示す電圧値の範囲である。一例として、第１の範囲は、約３．０Ｖ以上３．３Ｖ未満の範囲である。なお、ステップＳＴ２の所定の値が電圧値の範囲を規定する場合には、第１の範囲は、その電圧値の範囲とは重複しない。電圧値が第１の範囲内である場合（Ｙｅｓ）には、処理は、ステップＳＴ５に進む。電圧値が第１の範囲内ではない場合（Ｎｏ）には、処理は、ステップＳＴ６に進む。
【００４１】
ステップＳＴ５において、制御部９０は、サーミスター１０１に異常があると判定する。具体的には、制御部９０は、定着部６０がコピー機本体２に装着されており（第１コネクター１０３と第２コネクター１０４とが接続）、且つ、サーミスター１０１が故障しているために電気的に開放状態になっている又はサーミスター１０１が並列回路１００から外れていると判定する。
【００４２】
ステップＳＴ４において「Ｎｏ」と判断された場合、ステップＳＴ６において、制御部９０は、ステップＳＴ１にて測定した電圧値が第２の範囲内であるか否かを判断する。第２の範囲は、定着部６０がコピー機本体２に装着されており（第１コネクター１０３と第２コネクター１０４とが接続）、且つ、サーミスター１０１が故障していないこと（正常の場合）を示す電圧値の範囲である。一例として、第２の範囲は、約０．５Ｖ以上約３．０Ｖ未満の範囲である。電圧値が第２の範囲内である場合（Ｙｅｓ）には、処理は、ステップＳＴ７に進む。電圧値が第２の範囲内ではない場合（Ｎｏ）には、処理は、ステップＳＴ８に進む。
【００４３】
ステップＳＴ７において、制御部９０は、定着部６０は正常であると判定する。この場合には、制御部９０は、サーミスター１０１の抵抗値に応じて変化する電圧値に基づいて、加熱回転体６１の温度を測定する。
【００４４】
一方、ステップＳＴ８において、制御部９０は、サーミスター１０１に異常があると判定する。具体的には、制御部９０は、定着部６０がコピー機本体２に装着されており（第１コネクター１０３と第２コネクター１０４とが接続）、且つ、サーミスター１０１が故障しているために電気的に短絡状態になっていると判定する。
【００４５】
なお、ステップＳＴ３、ステップＳＴ５、ステップＳＴ８の処理の後には、制御部９０は、判定結果を上述したタッチパネルに表示させてもよい。
また、ステップＳＴ３、ステップＳＴ５、ステップＳＴ７及びステップＳＴ８の処理の後には、処理は、終了する。
【００４６】
以上説明したように、本実施形態のコピー機１によれば、以下の効果が奏される。
すなわち、本実施形態のコピー機１は、用紙Ｔに形成されたトナー画像を加熱する加熱回転体６１の温度を検出するためのサーミスター１０１と、サーミスター１０１に対して電気的に並列に接続された第１抵抗１０２と、サーミスター１０１及び第１抵抗１０２から構成される並列回路１００に電気的に接続された第２抵抗１０５と、第２抵抗１０５に電気的に接続された電源部１０６と、並列回路１００に電気的に接続された基準電位部１０７と、並列回路１００と第２抵抗１０５との間の電圧値を測定し、測定した電圧値に基づいて、第１コネクター１０３と第２コネクター１０４とが非接続であること、及びサーミスター１０１が異常であることを判定する制御部９０と、を備える。これにより、コピー機１は、第１コネクター１０３と第２コネクター１０４とが非接続であること（コピー機本体２から定着部６０が脱離していること）、及びサーミスター１０１が異常であることのそれぞれを判定することができる。
【００４７】
なお、本発明は、上述した実施形態に限定されることはなく、種々の形態で実施することができる。
本実施形態のコピー機１は、カラーコピー機であるが、この形態に限定されることはなく、モノクロコピー機であってもよい。
また、本実施形態のコピー機１は、中間転写ベルト４８を介して用紙Ｔにトナー画像を転写している（間接転写方式）が、この形態に限定されることはなく、感光体ドラムに形成されたトナー画像を直接に用紙Ｔに転写してもよい（直接転写方式）。
また、本実施形態のコピー機１は、用紙Ｔの片面を印刷する構成であるが、これに限定されることはなく、用紙の両面を印刷する構成であってもよい。
【００４８】
また、本発明の画像形成装置は、上述したコピー機１に限定されることはない。すなわち、本発明の画像形成装置は、コピー機能、ファクシミリ機能、プリンター機能及びスキャナー機能を備える複合機であってもよく、プリンターであってもよい。
また、本発明の画像形成装置によってトナー画像が定着される被転写材は用紙Ｔに限定されることはなく、例えば、ＯＨＰ（オーバーヘッドプロジェクター）シート等のフィルムシートであってもよい。
【符号の説明】
【００４９】
１…コピー機（画像形成装置）、６０…定着部、９０…制御部、１００…並列回路、１０１…サーミスター（温度検出素子）、１０２…第１抵抗、１０３…第１コネクター、１０４…第２コネクター、１０５…第２抵抗、１０６…電源部、１０７…基準電位部
【図１】
0005683415.tif 000004
【図２】
0005683415.tif 000005
【図３】
0005683415.tif 000006
【図４】
0005683415.tif 000007